(57)【特許請求の範囲】
【請求項１】
畳床を載置するための載せ台と、前記載せ台に載置された畳床を押さえ付けるための畳締め付け部と、前記畳床に畳表を縫着するための縫着機とを備える畳框縫着装置に、取り外し可能に取り付けられる畳表折り曲げ機であって、
前記載せ台に載置される本体部と、
前記本体部の一端辺に回動可能に取り付けられた折り曲げ部とを備える、畳表折り曲げ機。
【請求項２】
さらに、前記本体部が前記載せ台に載置されたときに、前記本体部がずれるのを防止するためのずれ防止部を備えることを特徴とする、請求項１に記載の畳表折り曲げ機。
【請求項３】
前記ずれ防止部は、前記本体部の前記載せ台側に設けられた第１の凸部、及び／又は、前記折り曲げ部の前記載せ台側に設けられた第２の凸部を含むことを特徴とする、請求項２に記載の畳表折り曲げ機。
【請求項４】
前記本体部の裏面の少なくとも一部は、ＣＦ（クッションフロア）シートで覆われていることを特徴とする、請求項１〜３のいずれかに記載の畳表折り曲げ機。
【請求項５】
前記本体部の表面の少なくとも一部は、第１の樹脂板で覆われていることを特徴とする、請求項１〜４のいずれかに記載の畳表折り曲げ機。
【請求項６】
前記折り曲げ部は、
前記本体部の一端辺に取り付けられた固定部と、
一段下がって前記固定部に回動可能に取り付けられた回動部とを含むことを特徴とする、請求項１〜５のいずれかに記載の畳表折り曲げ機。
【請求項７】
さらに、前記回動部と前記固定部との段差に取り外し可能に載置される第２の樹脂板を備えることを特徴とする、請求項１〜６のいずれかに記載の畳表折り曲げ機。
【請求項８】
前記折り曲げ部の長手方向の幅が１ｍ以上であることを特徴とする、請求項１〜７に記載の畳表折り曲げ機。
【請求項９】
さらに、一端辺が前記畳表の折り曲げ部分に当接するように、前記畳締め付け部の端部に取り外し可能に取り付けられる上部当接部を備えることを特徴とする、請求項１〜８のいずれかに記載の畳表折り曲げ機。
【請求項１０】
畳床を載置するための載せ台と、前記載せ台に載置された畳床を押さえ付けるための畳締め付け部と、前記畳床に畳表を縫着するための縫着機とを備える畳框縫着装置、及び、前記載せ台に載置される本体部と、前記本体部の一端辺に回動可能に取り付けられた折り曲げ部とを備える畳表折り曲げ機を用いて、縁無畳を製造するための方法であって、
畳表折り曲げ機を、前記載せ台に載置させる第１の工程と、
前記畳表を前記畳表折り曲げ機の上に載置させる第２の工程と、
前記折り曲げ部における回動境界線に、曲げたい位置を合わせる第３の工程と、
前記畳締め付け部を下降させて、前記畳表及び前記畳表折り曲げ機を押さえ付ける第４の工程と、
前記折り曲げ部を回動させて、前記畳表に折れ目を入れる第５の工程と、
前記畳締め付け部を上昇させて、前記畳表の締め付けを緩める第６の工程と、
既に折り目が付いている側と対向する側に対しても、前記第３〜第５の工程を施して、折れ目を付ける第７の工程と、
前記１〜第７の工程で得られた前記畳表を前記畳床に敷き、前記畳表を前記畳床に縫い付ける第８の工程とを備える、縁無畳の製造方法。
【発明の詳細な説明】
【技術分野】
【０００１】
本発明は、縁無畳を製造するための装置に関し、より特定的には、縁無畳の製造に用いられる畳表を折り曲げるための装置及びそれを用いた縁無畳の製造方法に関する。
【背景技術】
【０００２】
通常の畳（たとえば、一畳畳）は、畳表の目の向きが短手方向（幅方向）になるように、畳床の上に畳表が載せられ、長手方向（長さ方向）の端辺で畳床に畳表が畳縁によって縫い付けられ、短手方向の端辺で畳床に畳表が直接縫い付けられて、製造される。長手方向の端辺で畳床に畳表を畳縁によって縫い付ける装置を、畳縫着装置という。短手方向の端辺で畳床に畳表を直接縫い付ける装置を、畳框縫着装置という。なお、半畳畳も、同様に製造される。このようにして、畳縁がある通常の畳が製造される。
【０００３】
しかし、近年、畳縁が無い縁無畳（坊主畳ともいう）の需要が増加し、縁無畳の生産における作業の機械化、省力化が進められている。縁無畳の製造において、畳表の目の向きと垂直に緯糸であるい草を９０度以上に綺麗に折り曲げる必要がある。縁無畳では、い草を折り曲げた部分が表面に現れてくる。したがって、縁無畳の製造において、い草を如何にして綺麗に折り曲げるかという点が製造上非常に問題となる。
【０００４】
このような状況の下、畳縫着装置や畳框縫着装置とは別に、畳表を折り曲げる装置（畳表折り曲げ装置）が提案されている。しかし、畳表折り曲げ装置を設置するだけの場所を確保しなければならず、また、折り曲げた畳表を畳縫着装置や畳框縫着装置が設置されている場所まで運搬しなければならず、面倒である。何より、専用の畳折り曲げ装置は、高価である。
【０００５】
そのため、特許文献１に示すように、畳表折り曲げ装置と畳縫着装置とを一体化した装置が提案されている。特許文献１には、縫着ミシンと対向する側に、畳表を折り曲げる機構を取り付けた装置が開示されている。特許文献１に係る装置は、畳床を載置する台の端部に、軸（６）を中心に回動可能な回動屈曲版（５）を取り付け、畳表（４）を上下動押さえ定規プレート（２）によって押さえ付けて、回動屈曲版（５）を回動シリンダ（８）によって回動させることによって、畳表を折り曲げる。
【特許文献１】特開２００３−２９３５６６号公報  図８
【発明の開示】
【発明が解決しようとする課題】
【０００６】
しかし、特許文献１に記載の装置であったとしても、新たに、当該装置を購入しなければならない。当該装置は、多くの機械的機構を備えており、複雑であり、当然、高価である。畳縫着装置と畳表折り曲げ装置とを兼ねることによって、省スペース化を図ることは可能であるが、当該装置の購入によって、結局、縁無畳の単価が上がってしまう。
【０００７】
それゆえ、本発明の目的は、新たに大がかりな装置を購入することなく、簡単、安価、かつ綺麗に畳表を折り曲げることができる装置を提供することである。また、本発明の他の目的は、簡単、安価、かつ綺麗に縁無畳を製造する方法を提供することである。
【課題を解決するための手段】
【０００８】
上記課題を解決するために、本発明は、以下のような特徴を有する。本発明は、畳床を載置するための載せ台と、載せ台に載置された畳床を押さえ付けるための畳締め付け部と、畳床に畳表を縫着するための縫着機とを備える畳框縫着装置に、取り外し可能に取り付けられる畳表折り曲げ機であって、載せ台に載置される本体部と、本体部の一端辺に回動可能に取り付けられた折り曲げ部とを備える。
【０００９】
好ましくは、畳表折り曲げ機は、さらに、本体部が載せ台に載置されたときに、本体部がずれるのを防止するためのずれ防止部を備えるとよい。
【００１０】
好ましくは、ずれ防止部は、本体部の載せ台側に設けられた第１の凸部、及び／又は、折り曲げ部の載せ台側に設けられた第２の凸部を含むとよい。
【００１２】
好ましくは、本体部の裏面の少なくとも一部は、ＣＦシートで覆われているとよい。
【００１３】
好ましくは、本体部の表面の少なくとも一部は、第１の樹脂板で覆われているとよい。
【００１４】
好ましくは、折り曲げ部は、本体部の一端辺に取り付けられた固定部と、一段下がって固定部に回動可能に取り付けられた回動部とを含むとよい。
【００１５】
好ましくは、畳表折り曲げ機は、さらに、回動部と固定部との段差に取り外し可能に載置される第２の樹脂板を備えるとよい。
【００１６】
好ましくは、折り曲げ部の長手方向の幅が１ｍ以上であるとよい。
【００１７】
好ましくは、畳表折り曲げ機は、さらに、一端辺が畳表の折り曲げ部分に当接するように、畳締め付け部の端部に取り外し可能に取り付けられる上部当接部を備えるとよい。
【００１８】
本発明の他の局面は、畳床を載置するための載せ台と、載せ台に載置された畳床を押さえ付けるための畳締め付け部と、畳床に畳表を縫着するための縫着機とを備える畳框縫着装置、及び、載せ台に載置される本体部と、本体部の一端辺に回動可能に取り付けられた折り曲げ部とを備える畳表折り曲げ機を用いて、縁無畳を製造するための方法であって、畳表折り曲げ機を、載せ台に載置させる第１の工程と、畳表を畳表折り曲げ機の上に載置させる第２の工程と、折り曲げ部における回動境界線に、曲げたい位置を合わせる第３の工程と、畳締め付け部を下降させて、畳表及び畳表折り曲げ機を押さえ付ける第４の工程と、折り曲げ部を回動させて、畳表に折れ目を入れる第５の工程と、畳締め付け部を上昇させて、畳表の締め付けを緩める第６の工程と、既に折り目が付いている側と対向する側に対しても、第３〜第５の工程を施して、折れ目を付ける第７の工程と、１〜第７の工程で得られた畳表を畳床に敷き、畳表を畳床に縫い付ける第８の工程とを備える。
【発明の効果】
【００１９】
本発明によれば、畳表折り曲げ機は、通常、畳み製造業者が使用している畳框縫着装置に簡単に取り付けて、畳表を綺麗に折り曲げることができる。畳表折り曲げ機の構造は、簡易なものであるであるので、簡単かつ安価に、畳表の折曲げを実現することができる。したがって、大がかりな装置を新たに購入しなくても、縁無畳を綺麗に製造することができる。
【００２０】
また、ずれ防止部（たとえば、第１の凸部及び第２の凸部）によって、畳表折り曲げ機が載せ台からずれるのが防止され、より綺麗に畳表を折り曲げることが可能となる。
【００２１】
本体部の裏面の少なくとも一部にＣＦシートを貼り付けることによって、本体部の滑りがよくなり、作業効率が向上する。また、畳表折り曲げ機１の耐久性や防水性が向上する。
【００２２】
本体部の表面の少なくとも一部に第１の樹脂板を貼り付けることによって、第１の樹脂板の上で、カッターナイフ等を用いて、畳表を切ることができ、作業効率が向上する。また、畳表折り曲げ機の耐久性や防水性が向上する。
【００２３】
回動部を固定部よりも一段下げることによって、畳表をより綺麗に折り曲げることができる。また、回動部の上に、第２の樹脂板を載せることができ、畳表をカッターナイフ等で切りやすくなり、作業効率が向上する。
【００２４】
折り曲げ部の長手方向の幅を１ｍ以上とすることによって、半畳分の縁無畳の製造に適した畳表折り曲げ機が提供されることとなる。
【００２５】
以上、本発明に係る畳表折り曲げ機を用いれば、簡単、安価、かつ綺麗に縁無畳を製造することが可能となる。
【００２６】
本発明のこれらおよび他の目的、特徴、局面、効果は、添付図面と照合して、以下の詳細な説明から一層明らかになるであろう。
【発明を実施するための最良の形態】
【００２７】
図１は、本発明の実施形態に係る畳表折り曲げ機１を示す斜視図である。図２Ａは、図１におけるＡ−Ａ面での断面図である。図１及び図２Ａにおいて、畳表折り曲げ機１は、本体部５と、折り曲げ部４と、第１の凸部７と、第２の凸部６とを備える。
【００２８】
本体部５は、略矩形状の板部材である。本体部５の裏面には、ＣＦ（クッションフロア）シート５ａが貼り付けられている。ＣＦシート５ａは、通常、台所や風呂場、トイレなどの床に貼り付けられる樹脂製の床材である。本体部５の表面には、第１の樹脂板５ｂが貼り付けられている。第１の樹脂板５ｂは、その上で、カッターナイフ等によって畳表を切ったとしても、痛みにくい硬質の樹脂であるとよい。好ましくは、第１の樹脂板５ｂは、硬質のポリ塩化ビニルなどからなるカッティングマットであるとよい。
【００２９】
折り曲げ部４は、固定部２と、回動部３とを含む。折り曲げ部４の長手方向の長さは、１ｍ以上であるとよいが、これに限定されるものではない。固定部２は、本体部５の一端辺に固定的に取り付けられている。回動部３は、固定部２の一端辺に、回動軸２ａを中心に可動可能に取り付けられている。回動部３は、一端辺が断面略円状にふくれた持ち手部３ａを含む。たとえば、折り曲げ部４は、本体部５の一端辺に回動可能に取り付けられている略矩形の大型の蝶番である。
【００３０】
回動部３は、固定部２の上面から一段下がって回動可能に取り付けられている。回動部３の上面に、第２の樹脂板５ｃを載置することができる。図２Ｂは、第２の樹脂板５ｃを載置したときの図１におけるＡ−Ａ面での断面図である。第２の樹脂板５ｃは、第２の樹脂板５ｃの上で、カッターナイフ等によって畳表を切ったとしても、痛みにくい硬質の樹脂であるとよい。好ましくは、第２の樹脂板５ｃは、硬質のポリ塩化ビニルなどからなるカッティングマットであるとよい。
【００３１】
第１の凸部７は、本体部５の裏面側に設けられている。第２の凸部６は、回動部４の裏面側に設けられている。第２の凸部６は、回動部３を支えるために、回動部３の裏面側まで伸びて形成されている。第２の凸部６の裏面には、ＣＦシート６ｂが貼り付けられている。
【００３２】
図３は、従来の一般的な畳框縫着装置８の斜視図である。図３において、畳框縫着装置８は、載せ台９と、畳締め付け部１７と、縫着機１１とを備える。まず、畳框縫着装置８の通常の使用方法について説明する。畳框縫着装置８は、通常、畳床の上に載せられた畳表に対して、框部分を縫い付けるために使用される。枠１５と枠１６との間の載せ台９に畳床が載置され、畳床の上に、畳表が載せられる。畳締め付け部１７は、畳框縫着装置８の一端で回動可能に固定されている。畳締め付け部１７の一端に取り付けられた固定具１０は、土台部分の連結具１０ａ（図３では図示を省略）に連結される。畳締め付け部１７を回動させて、固定具１０と連結具１０ａとを連結させた後、畳締め付け部１７を下降させる動力が畳締め付け部１７に加えられる。これによって、畳締め付け部１７は、載せ台９に載置された畳床及び畳表を押さえ付ける。畳締め付け部１７によって押さえ付けられた畳床と畳表に対して、レール１３に沿いながら、縫着機１１が移動して、框部分が縫い付けられる。框部分が縫い付けられた後、空隙１２内に設けられた昇降部１４が上昇して、畳床が昇降部１４の回転軸を中心に回転可能になる。畳床を回転させて、他方の框部分を縫着機１１側に位置させる。その後、昇降部１４を下降させて、再び、畳締め付け部１７によって畳床及び畳表を押さえ付けて、他方の框部分が縫い付けられる。以上が、畳框縫着装置８の通常の使用方法である。
【００３３】
本発明では、図３に示すような一般的な畳框縫着装置８に対して、畳表折り曲げ機１が取り付けられて、畳表の折り曲げを実現することに特徴がある。
【００３４】
図４Ａは、畳表折り曲げ機１が畳框縫着装置８に取り付けられたときの様子を示す斜視図である。図４Ｂは、畳表折り曲げ機１が畳框縫着装置８に取り付けられたときの様子を示す平面図である。図４Ｂに示すように、第１の凸部７の一端辺７ａと第２の凸部６の一端辺６ａとの間隔は、載せ台９の幅と略一致する。第１の凸部７の一端辺７ａが載せ台９の一端辺９ａと当接し、かつ、第２の凸部６の一端辺６ａが載せ台９の他端辺９ｂと当接するようにして、載せ台９の上に、畳表折り曲げ機１が載置される。したがって、第１の凸部７及び第２の凸部６は、載せ台９の上に本体部５が載置された際、本体部５がずれるのを防止するためのずれ防止部として機能する。
【００３５】
折り曲げ部４における回動境界線４ａ（図上、想像線で示す）は、回動部３を回動させたとき、固定部２と回動部３との屈曲部分の境目となる。第１の凸部７及び第２の凸部６は、畳締め付け部１７を下降させたとき、回動境界線４ａと畳締め付け部１７の一端辺１７ａとが略一致するように、適切な位置に設けられている。
【００３６】
図５は、図４ＡにおけるＢ−Ｂ線での断面図である。畳締め付け部１７は、本体板部１７ｄと、調整板部１７ｃとを含む。なお、本体板部１７ｄと調整板部１７ｃとの間に、段差が生じないように、本体板部１７ｄに調整板部１７ｃを嵌め込む凹部が設けられていてもよい。調整板部１７ｃは、本体板部１７ｄに設けられたスライド孔１７ｇに対して、ネジ１７ｅ及びナット１７ｆによって、微調整可能に取り付けられている。畳框縫着装置８を用いて框部分を縫い付ける際、使用者は、適宜、調整板部１７ｃの位置を微調整することができる。なお、通常は、一度、微調整を行えば、その後、微調整をすることなく、框部分を縫い付けることができる。なお、図５に示すような調整板部１７ｃによる構成は、一般的な畳框縫着装置８には、通常設けられている。
【００３７】
以下、畳表折り曲げ機１を用いて、畳表を折り曲げ、半畳分の縁無畳を製造する方法について説明する。図６は、畳表を折り曲げる工程を説明するための図である。
【００３８】
まず、図４Ａに示すように、本体部５を載せ台９の上に載置する。その際、第１の凸部７と第２の凸部６とによって、載せ台９が挟まれるように、本体部５を載せ台９の上に載置する。次に、回動部３の上に、第２の樹脂板５ｃを載置する。
【００３９】
次に、半畳分の縁無畳の製造に必要な大きさの畳表Ｓを畳表折り曲げ機１の上に載置する。次に、折り曲げ部４における回動境界線４ａに、畳表Ｓにおける曲げたい位置を合わせる。次に、畳締め付け部１７の固定具１０を、連結具１０ａに連結させる。次に、駆動スイッチ１７ｂを押下して、畳締め付け部１７を下降させる。これによって、畳表Ｓが畳表折り曲げ機１と畳締め付け部１７との間に挟まれて、押さえ付けられる。
【００４０】
次に、畳表Ｓに定規を当て、不要な部分をカッターナイフで切断する。この際、当該カッターナイフは、第２の樹脂板５ｃの上部に少し食い込みながら、畳表Ｓを切断する。次に、第２の樹脂板５ｃを取り外す。次に、畳表Ｓの折り曲げ部分に、温水スチームをかける等のい草の柔軟処理を施す。さらに、畳締め付け部１７の一端辺１７ａに沿って、千枚通しで折れ線を付ける。なお、柔軟処理及び千枚通しによる折れ線処理は必須ではない。
【００４１】
次に、回動部３を上方に９０度以上、好ましくは、１２０度位回動させ、しばらくその状態を維持して、畳表Ｓに折れ目を入れる。
【００４２】
次に、畳締め付け部１７を上昇させて、畳表Ｓの締め付けを緩める。次に、畳表Ｓを１８０度回転させて、既に折れ目が付いている側と対向する側に対しても、曲げたい部分を境界線４ａに合わせる。その後、畳締め付け部１７による固定、柔軟処理、折れ線処理を施した後、回動部３を上方に９０度以上、好ましくは、１２０度位回動させて、しばらくその状態を維持して、畳表Ｓに折れ目を入れる。このようにして、畳表Ｓの緯糸であるい草と直角になるように、両側に折れ目が入る。
【００４３】
次に、畳表の縫着工程に進む。まず、両側を折り曲げた畳表Ｓを半畳分の畳床の上に載置する。次に、畳表Ｓが載置された畳床を、框部分（折り曲げられていない側）が縫着されるように、畳框縫着装置８に載置して、畳締め付け部１７を下降させて、押さえ付ける。次に、框部分を縫着機１１によって縫着する。次に、畳締め付け部１７を緩めて、反対側の框部分も縫着する。次に、畳框縫着装置８に、框部分が縫着された畳床を取り付けて、折り曲げられた部分の一方の縁を縫着する。同様に、逆側の縁も縫着する。これによって、縁無畳が完成する。
【００４４】
このように、本実施形態に係る畳表折り曲げ機１は、通常、畳み製造業者が使用している畳框縫着装置８に簡単に取り付けて、畳表を綺麗に折り曲げることができる。畳表折り曲げ機１の構造は、簡易なものであるであるので、簡単かつ安価に、畳表の折曲げを実現することができる。したがって、大がかりな装置を新たに購入しなくても、縁無畳を綺麗に製造することができる。
【００４５】
また、第１の凸部７及び第２の凸部６によるずれ防止部によって、畳表折り曲げ機１が載せ台９からずれるのが防止され、より綺麗に畳表を折り曲げることが可能となる。
【００４６】
本体部５の裏面の少なくとも一部にＣＦシート５ａを貼り付けることによって、本体部５の滑りがよくなり、作業効率が向上する。また、畳表折り曲げ機１の耐久性や防水性が向上する。
【００４７】
本体部５の表面の少なくとも一部に第１の樹脂板５ｂを貼り付けることによって、第１の樹脂板５ｂの上で、カッターナイフ等を用いて、畳表を切ることができ、作業効率が向上する。また、畳表折り曲げ機１の耐久性や防水性が向上する。
【００４８】
回動部３を固定部２よりも一段下げることによって、畳表をより綺麗に折り曲げることができる。また、回動部３の上に、第２の樹脂板５ｃを載せることができ、畳表をカッターナイフ等で切りやすくなり、作業効率が向上する。
【００４９】
折り曲げ部４の長手方向の幅を１ｍ以上とすることによって、半畳分の縁無畳の製造に適した畳表折り曲げ機１が提供されることとなる。
【００５０】
（変形例）
上記実施形態は、たとえば、以下のように変形し得る。
【００５１】
図７は、上部当接部２０を取り付けて畳表Ｓを折り曲げるときの様子を示す斜視図である。図６に示した畳框縫着装置８は、調整板部１７ｃの長手方向の長さが畳表Ｓの幅よりも長かった。しかし、市販されている畳框縫着装置８の中には、調整板部１７ｃの長手方向の長さが畳表Ｓの幅よりも短い場合がある。短い場合、端の部分が綺麗に折れ曲がらない可能性がある。そこで、畳表Ｓの幅よりも長手方向の長さが長い上部当接部２０を、調整板部１７ｃの端部に、取り付けるとよい。図７に示す例において、上部当接部２０は、断面がレの字状になっており、調整板部１７ｃの端部に、挿入され、調整板部１７ｃに取り外し可能に取り付けられる。また、上部当接部２０は、前端が鋭角になっている。このような上部当接部２０を用いれば、畳表Ｓを綺麗に折り曲げることが可能となる。
【００５２】
なお、上部当接部２０の構造は、図７に限られるものではない。上部当接部２０の長手方向の長さが、畳表Ｓの幅よりも長ければよい。たとえば、図７に示している調整板部１７ｃを取り外して、図６に示す調整板部１７ｃを本体板部１７ｄに取り付けてもよい。この場合、図６に示す調整板部１７ｃが、上部当接部となる。
【００５３】
なお、第１の凸部７と第２の凸部６との内、少なくともどちらか一方が設けられていれば、畳表折り曲げ機１のずれを防止することができる。
【００５４】
上記で示した実施形態はあくまでも一例に過ぎず、種々の変更をすることができる。畳表折り曲げ機１の材質は、金属でもよいし、木材でもよいし、プラスチックでもよい。ずれ防止部の構造は、凸部に限らず、ボルトとナットなどを利用して載せ台９に取り外し可能に締め付けるようなものであってもよいし、摩擦係数の大きい素材が本体部５の裏面に貼り付けられていてもよい。畳表折り曲げ機１のサイズは、あくまでも一例であって、市販されている畳框縫着装置８に取り外し可能に取り付けることができるものであればよい。当然、本実施形態で示した畳框縫着装置８も、一例に過ぎず、本発明を限定するものではない。畳表折り曲げ機１を覆うＣＦシート５ａや第１の樹脂板５ｂは、本体部５の少なくとも一部を覆っていればよい。折り曲げ部４の回動機構は、図１に示すような蝶番構造に限定されるものではない。折り曲げ部４は、本体部５に回動可能に取り付けられるものであれば、あらゆる周知の構造をとり得る。
【００５５】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００５６】
本発明に係る畳表折り曲げ機及びそれを用いた縁無畳の製造方法は、縁無畳を好適に製造するために用いることができ、産業上利用可能である。
【図面の簡単な説明】
【００５７】
【図１】本発明の実施形態に係る畳表折り曲げ機１を示す斜視図
【図２Ａ】図１におけるＡ−Ａ面での断面図
【図２Ｂ】第２の樹脂板５ｃを載置したときの図１におけるＡ−Ａ面での断面図
【図３】従来の一般的な畳框縫着装置８の斜視図
【図４Ａ】畳表折り曲げ機１が畳框縫着装置８に取り付けられたときの様子を示す斜視図
【図４Ｂ】畳表折り曲げ機１が畳框縫着装置８に取り付けられたときの様子を示す平面図
【図５】図４ＡにおけるＢ−Ｂ線での断面図
【図６】畳表を折り曲げる工程を説明するための図
【図７】上部当接部２０を取り付けて畳表Ｓを折り曲げるときの様子を示す斜視図
【符号の説明】
【００５８】
１  畳表折り曲げ機
２  固定部
３  回動部
４  折り曲げ部
４ａ  回動境界線
５  本体部
５ａ  ＣＦシート
５ｂ  第１の樹脂板
５ｃ  第２の樹脂板
６  第２の凸部
７  第１の凸部
８  畳框縫着装置
９  載せ台
１０  固定具
１０ａ  連結具
１１  縫着機
１２  空隙
１３  レール
１４  昇降部
１５，１６  枠
１７  畳締め付け部
１７ａ  畳締め付け部１７の一端辺
１７ｂ  駆動スイッチ
１７ｃ  調整板部
１７ｄ  本体板部
１７ｅ  ネジ
１７ｆ  ナット
１７ｇ  スライド孔
２０  上部当接部
Ｓ  畳表
【要約】
【課題】新たに大がかりな装置を購入することなく、簡単、安価、かつ綺麗に畳表を折り曲げることができる装置を提供すること。
【解決手段】本発明は、畳床を載置するための載せ台９と、載せ台に載置された畳床を押さえ付けるための畳締め付け部１７と、畳床に畳表を縫着するための縫着機１１とを備える畳框縫着装置８に、取り外し可能に取り付けられる畳表折り曲げ機１であって、載せ台９に載置される本体部５と、本体部５の一端辺に回動可能に取り付けられた折り曲げ部４とを備える。さらに、畳表折り曲げ機１は、第１の凸部７と第２の凸部６とを備え、載せ台９に載置されたときにずれるのを防止する。
【選択図】図４Ａ【図１】
0004219397.tif 000002
【図２Ａ】
0004219397.tif 000003
【図２Ｂ】
0004219397.tif 000004
【図３】
0004219397.tif 000005
【図４Ａ】
0004219397.tif 000006
【図４Ｂ】
0004219397.tif 000007
【図５】
0004219397.tif 000008
【図６】
0004219397.tif 000009
【図７】
0004219397.tif 000010